(57)【要約】【課題】連結糸が表と裏の編地を連結させると共に表と裏の両面のウエール方向にパイルを形成させてなり、嵩高で軽量の、浴用タオルなどに利用される編物を提供する。【解決手段】編地Ａと編地Ｂとが連結糸で連結されてなり、編地Ａを経挿入の組織にして表面の編地Ａ側が嵩高なグランド組織となって連結糸によるパイルがウエール方向に形成され、かつ編地Ｂを経挿入の組織にして裏面の編地Ｂ側が嵩高なグランド組織となって連結糸によるパイルがウエール方向に形成され、これらパイルが表裏両面に交互に編成されてなることを特徴とする編物。【選択図】なし【特許請求の範囲】
【請求項１】
パイルが表裏にウエール方向で両面に互い違いに交互に編成されてなる編物。
【請求項２】
編地Ａと編地Ｂとが連結糸で連結されてなり、編地Ａを経挿入の組織にして表面の編地Ａ側が嵩高なグランド組織となって連結糸によるパイルがウエール方向に形成され、かつ編地Ｂを経挿入の組織にして裏面の編地Ｂ側が嵩高なグランド組織となって連結糸によるパイルがウエール方向に形成され、これらパイルが表裏両面に交互に編成されてなることを特徴とする編物。
【請求項３】
編地Ａ及び編地Ｂが天然繊維又は化学繊維により編成され、連結糸が天然繊維又は化学繊維により形成されてなる請求項２に記載の編物。
【請求項４】
請求項１乃至請求項３のいずれかに記載された編物で形成されてなることを特徴とする洗浄具。
【請求項５】
浴用タオルである請求項４に記載の洗浄具。
【発明の詳細な説明】
【技術分野】
【０００１】  本発明は、身体を洗う際に使用する浴用タオルなどの洗浄具を形成し得る編物に関する。
【背景技術】
【０００２】  従来、経編物、特にラッシェル編物は嵩高性と柔軟性に優れているため、台所用品として食器やテーブルの布巾、また浴用品として浴用タオルや浴用洗浄具として長年使用されてきた。【０００３】  特に浴用タオルについては、肌への刺激性の緩和や泡立ちの機能付与のためにパイルを形成した構造が採られてきたが、編成機の構造に起因して片面にしかパイルを形成できず、使用者は表面と裏面を確認して使用する必要があった。【０００４】  そのため、経編物、特にラッシェル編物の両面にパイルを形成させる手段として、２枚の編物を縫製で縫合したり、筒状に２層構造で編成して裏返す方法が採られている。【０００５】  特許文献１では、表裏パイルを形成し、一方の面から露出するパイルを無撚糸で形成し、他方の面から露出するパイルを結束糸で形成した浴用タオルが提案されている。この浴用タオルでは、形成されたパイルの長さが短かったり、表と裏に異なるパイルが形成されているため、使用時に使い分ける必要があった。【０００６】  特許文献２に記載されているタオルは、天然繊維で編成された天然繊維部と化学繊維で編成された化学繊維部とがウエール方向に繰返し形成された筒状の編物を、隣り合う１組の天然繊維部と化学繊維部とが一つの単位になるよう裁断し、折り返しと縫製を繰り返し行うために製造工程が複雑で、製造コストの低減が困難であった。【０００７】  特許文献３に記載されている編物は、編地Ａと編地Ｂとを左右の縁部で連結し、内外を裏返すことにより両面にパイルを形成させるものであって、重量が重くなる傾向にあるだけでなく、一体感に欠けて快適な使用感も得られ難かった。
【先行技術文献】
【特許文献】
【０００８】
【特許文献１】特開２０００−０７９０７２号公報
【特許文献２】特開２００５−２７９１８９号公報
【特許文献２】特開２０１０−１９６１９９号公報
【発明の概要】
【発明が解決しようとする課題】
【０００９】  このように、従来提案されている編物やタオルでは、パイルが短かったり、縫製などの工程が加わり製造が複雑になってコストアップの要因となったり、また２層構造で編成して裏返して使用する方法では、目付が重たくなり、原材料の増加に繋がり、軽量化やコスト面での限界があった。【００１０】  本発明は、上記の実状に鑑み、肌に優しく十分な泡立ちを得るために、両面にパイルが形成された安価で軽量な経編物、特にラッシェル編物を提供することを目的とする。
【課題を解決するための手段】
【００１１】  本発明は、パイルが表裏にウエール方向で両面に互い違いに交互に編成されてなる編物に関する。
また本発明は、編地Ａと編地Ｂとが連結糸で連結されてなり、編地Ａを経挿入の組織にして表面の編地Ａ側が嵩高なグランド組織となって連結糸によるパイルがウエール方向に形成され、かつ編地Ｂを経挿入の組織にして裏面の編地Ｂ側が嵩高なグランド組織となって連結糸によるパイルがウエール方向に形成され、これらパイルが表裏両面に交互に編成されてなることを特徴とする編物に関する。
さらに本発明は、上記の編物で形成されてなることを特徴とする浴用タオルに代表される洗浄具に関する。【００１２】  本発明の編物は、経編機、特にラッシェル編機を用いて、２〜４針のチェーンステッチの組織で編成された挿入糸Ａからなる編地Ａと２〜４針のチェーンステッチの組織で編成された挿入糸Ｂからなる編地Ｂの間に編地Ａ及び編地Ｂと連結する１本ないし複数の連結糸で形成される一体化されたラッシェル編物であって、編地Ａを経挿入の組織とすることにより編地Ａは編地Ｂと一体化された多層の嵩高なクランド組織となり、連結糸がパイルとして編地Ａ側に形成され、次に連続して編地Ｂを経挿入の組織とすることにより編地Ｂが編地Ａと一体化された嵩高なクランド組織となり、連結糸がパイルとして編地Ｂ側に形成され、この動作を機械的に交互で行うことによって編地Ａ及び編地Ｂの外側に交互のウエール方向にパイルが形成される。【００１３】  連結糸として異素材で複数使用することにより、表裏で異なる機能のパイルが形成され、従来のように裏返したり、縫い合わせたりする作業をせずとも、軽量で安価な編物を得ることができる。【００１４】  例えば、チェーンステッチの組織である編地Ａと同じくチェーンステッチの組織である編地Ｂを連結する連結糸２本を用い、１本を肌にやさしい天然繊維である綿糸Ｘ１とし、他の１本を泡立ちのよい化学繊維であるポリエステルの連結糸Ｘ２とすれば、チェーンステッチの組織である編地Ａを経挿入の組織にすることにより編地Ａは編地Ｂと一体化され、肌にやさしいＸ１のパイルが編地Ａ側のウエール方向に形成され、次に連続してチェーンステッチである編地Ｂを経挿入の組織にすることにより編地Ｂは編地Ａと一体化され、編地Ｂ側に泡立ちによい化学繊維であるポリエステルの連結糸Ｘ２のパイルをウエール方向に形成させることも可能である。【００１５】  チェーンステッチの組織である編地Ａを経挿入の組織にすることによりチェーンステッチの組織である編地Ｂと一体化されて多層のグランドの組織となり、グランドの組織がより多層となり嵩高性が増してより泡立ちの良いボリューム感のある編物を得ることができる。【００１６】  本発明において、挿入糸Ａ、挿入糸Ｂ及び連結糸に使用される繊維としては、天然繊維又は化学繊維が挙げられる。天然繊維としては、肌に優しい綿糸、絹糸やブラッシング効果のある麻が好ましく、化学繊維としては、泡立ちの良いポリエステル繊維、ポリアミド繊維やポリプロピレン繊維が好ましいが、再生繊維であるレーヨンやキュプラを含めて肌に優しく、洗浄性に優れ、泡立ちの良い繊維であればこの限りではない。【００１７】  本発明の編物は、両面にパイルが形成された表裏のない嵩高な編物であり、泡立ちや洗浄性に優れているため、浴用タオルに限らず、吸水性が要求される台所用品の布巾や、泡立ちや洗浄性が要求される浴槽等の洗浄具としても使用できる。
【発明の効果】
【００１８】  本発明の編物は、嵩高性に優れ、泡立ちが良好でボリューム感があり、浴用タオルに代表される洗浄具として好適に使用される。
【図面の簡単な説明】
【００１９】
【図１】本発明の編物の表面パイルの構成図及び組織図
【図２】本発明の編物の裏面パイルの構成図及び組織図
【発明を実施するための形態】
【実施例】
【００２０】  ＬＩＢＡ社製ダブルニードルバー高速ラッシェル機ＲＡＣＯＰ  Ｄ６を用い、編地Ａ及び編地Ｂを、１６７デシテックス、フィラメント数３６本のエステルフィラメント糸を使用してウエール方向１．７ｍｍ、コース方向６．４ｍｍの連鎖編組織とした。【００２１】  連結糸は５０１デシテックス、フィラメント数１０８本のエステルフィラメント糸を使用し、コンパウンドニードルでのパイル編みでパイル長を６ｍｍとした。【００２２】  表面パイルの形成はフロントニードルで４針振りの編地Ｂをつくり、バックニードルを同じく４針振りの連鎖編みの編地Ａとし、パイル糸となる連結糸（Ｌ４）をオーバーラップさせて編み込ませた。図１に示すように、そのバックニードルである編地Ａの組織のアンダーラップを経挿入にすることにより、編地Ａは編地Ｂに重なり、ウェール方向に空間ができた。その空間である２針分に連結糸（Ｌ４）を交互にかけることにより、連結糸（Ｌ４）はピンニードルのパイル糸としてフロントニードルである編地Ｂ側に形成された。【００２３】  次に図２に示すように、裏面パイルの形成として同じくフロントニードルである４針の連鎖編み編地Ｂを経挿入とすることにより編地Ｂは編地Ａに重なり、ウェール方向に空間ができた。その空間である２針分に連結糸（Ｌ４）を交互にかけることにより連結糸（Ｌ４）はピンニードルのパイル糸としてバックニードルである編地Ａ側に形成された。【００２４】  編地Ａ及び編地Ｂの組織を交互に逆転させることにより表面である編地Ａと裏面である編地Ｂのパイル組織を交互に組むことができ、１枚の生地で両面に毛足の長い６ｍｍの長いループパイルがパイルとしてウエール方向に形成され、編地Ａと編地Ｂが重なった嵩高なラッセル生地を得ることができた。
【符号の説明】Ａ  ：編地Ａ
Ｂ  ：編地Ｂ
Ｐ  ：パイル
ＡＢ：編地Ａ  バックニードル
ＢＦ：編地Ｂ  フロントニードル
１  ：編地Ａ  連鎖編み
２  ：連結糸
３  ：編地Ｂ  連鎖編み
４  ：編地Ｂ  パイル糸
５  ：編地Ａ  パイル糸
【図１】
2014051768.tif 000002
【図２】
2014051768.tif 000003